(57)【要約】【課題】容易に取り外すことが可能な枠体取付部材を備えた建具を提供する。【解決手段】縦材と横材とが枠組みされた枠体と、前記枠体に取り付けられる枠体取付部材と、を有し、前記枠体は、前記縦材又は前記横材の長手方向に沿って設けられ面内方向に沿う壁面を形成する壁面形成部と、前記壁面形成部に設けられた被係合部と、を有し、  前記枠体取付部材は、本体部と、前記本体部内にて前記被係合部に係合されて当該枠体取付部材が前記枠体に保持される係合部と、を有し、前記本体部は、前記壁面形成部との間に、当該本体部の内外を連通する連通部を有する。【選択図】図８
2018071192.tif 000002
【特許請求の範囲】
【請求項１】
縦材と横材とが枠組みされた枠体と、
前記枠体に取り付けられる枠体取付部材と、を有し、
前記枠体は、前記縦材又は前記横材の長手方向に沿って設けられ面内方向に沿う壁面を形成する壁面形成部と、
前記壁面形成部に設けられた被係合部と、を有し、
前記枠体取付部材は、本体部と、
前記本体部内にて前記被係合部に係合されて当該枠体取付部材が前記枠体に保持される係合部と、
を有し、
前記本体部は、前記壁面形成部との間に、当該本体部の内外を連通する連通部を有することを特徴とする建具。
【請求項２】
請求項１に記載の建具であって、
前記枠体取付部材は、前記縦材又は前記横材の長手方向に沿ってスライドさせることにより前記係合部が前記被係合部に係合し、
前記連通部は、前記枠体取付部材をスライドする際の進行方向の後方側に設けられていることを特徴とする建具。
【請求項３】
請求項２に記載の建具であって、
前記被係合部は、見込み方向に貫通する切欠部であり、
前記係合部は、前記枠体取付部材をスライドする際の進行方向における前方側から後方側に向かって延出された腕部と、前記腕部の後方側に設けられ見込み方向に突出する突起と、を有し、
前記枠体取付部材をスライドする前に前記腕部が前記壁面形成部に押圧されて撓み変形しており、前記枠体取付部材が前記スライドされて前記突起が前記切欠部に至ったときに前記腕部が撓み変形状態から復元して前記突起が前記切欠部に挿入されて係合することを特徴とする建具。
【請求項４】
請求項３に記載の建具であって、
前記連通部から挿入された治具を操作し、前記係合部の前記腕部を撓み変形させて前記係合が解除されることを特徴とする建具。
【請求項５】
請求項３または請求項４に記載の建具であって、
前記係合部は、前記突起より、前記枠体取付部材をスライドする際の進行方向における後方側に突出する突出部を有することを特徴とする建具。
【発明の詳細な説明】
【技術分野】
【０００１】
本発明は、枠体に取り付けられる枠体取付部材を有する建具に関する。
【背景技術】
【０００２】
枠体に取り付けられる枠体取付部材としては、例えば、引戸の戸当たりブロックが知られている（例えば、特許文献１参照）。戸当たりブロックは、下枠の基面に突設された突条片の下部または下枠の立上がり壁のいずれか一方に形成した係止溝に、戸当たりブロックの内部に形成した係止部を弾発的に嵌装係止させて、枠体に取り付けられている。
【先行技術文献】
【特許文献】
【０００３】
【特許文献１】特公昭６０−３７９９１号公報
【発明の概要】
【発明が解決しようとする課題】
【０００４】
上記従来の戸当たりブロックは、取り外すことが考慮されていない。このため、例えば、補修やメンテナンス等により戸当たりブロックを取り外す場合には、縦枠と戸当たりブロックとの僅かな隙間にマイナスドライバー等の薄く長い部材を差し込んで、戸当たりブロックを押すことにより係止部を係止溝から外して取り外している。このとき、強い力で押圧された戸当たりブロックの係止部を破損する、縦枠と下枠とのシーラーが欠損する、或いは、縦枠が押し曲げられて変形してしまう、という課題がある。
本発明は、かかる課題に鑑みてなされたものであり、その目的とするところは、容易に取り外すことが可能な枠体取付部材を備えた建具を提供することにある。
【課題を解決するための手段】
【０００５】
かかる目的を達成するために本発明の建具は、縦材と横材とが枠組みされた枠体と、  前記枠体に取り付けられる枠体取付部材と、を有し、前記枠体は、前記縦材又は前記横材の長手方向に沿って設けられ面内方向に沿う壁面を形成する壁面形成部と、前記壁面形成部に設けられた被係合部と、を有し、前記枠体取付部材は、本体部と、前記本体部内にて前記被係合部に係合されて当該枠体取付部材が前記枠体に保持される係合部と、を有し、  前記本体部は、前記壁面形成部との間に、当該本体部の内外を連通する連通部を有することを特徴とする建具である。
【０００６】
このような建具によれば、枠体取付部材は、本体部内にて被係合部に係合部が係合されて枠体に保持されており、本体部は、壁面形成部との間に、当該本体部の内外を連通する連通部を有しているので、連通部から係合部と被係合部との係合を容易に解除することが可能である。このため、容易に取り外すことが可能な枠体取付部材を備えた建具を提供することが可能である。
【０００７】
かかる建具であって、前記枠体取付部材は、前記縦材又は前記横材の長手方向に沿ってスライドさせることにより前記係合部が前記被係合部に係合し、前記連通部は、前記枠体取付部材をスライドする際の進行方向の後方側に設けられていることが望ましい。
【０００８】
このような建具によれば、縦材又は横材の長手方向に沿ってスライドさせて取り付けられる枠体取付部材が取り付けられた後は、スライドされた枠体取付部材の進行方向後方側に、必ずスライドした分の空間が存在する。このため、連通部が進行方向後ろ側に設けられていると、少なくともスライドした分の空間を利用して係合を解除できるので、係合の解除操作が容易である。
【０００９】
かかる建具であって、前記被係合部は、見込み方向に貫通する切欠部であり、前記係合部は、前記枠体取付部材をスライドする際の進行方向における前方側から後方側に向かって延出された腕部と、前記腕部の後方側に設けられ見込み方向に突出する突起と、を有し、前記枠体取付部材をスライドする前に前記腕部が前記壁面形成部に押圧されて撓み変形しており、前記枠体取付部材が前記スライドされて前記突起が前記切欠部に至ったときに前記腕部が撓み変形状態から復元して前記突起が前記切欠部に挿入されて係合することが望ましい。
【００１０】
このような建具によれば、枠体取付部材をスライドさせるだけで、係合部を被係合部に係合させることが可能である。また、係合部は、腕部が撓み変形した状態から復元することにより突起が切欠部に係合されるので、より確実に係合させるとともに係合が自然に解除され難い。このため、枠体取付部材をより確実に容易に取り付けることが可能である。
【００１１】
かかる建具であって、前記連通部から挿入された治具を操作し、前記係合部の前記腕部を撓み変形させて前記係合が解除されることが望ましい。
このような建具によれば、係合部は見込み方向に貫通する切欠部に、見込み方向に突出する突起が挿入されて係合しているので、連通部から挿入された治具により腕部を見込み方向に弾性変形させて撓ませるだけで容易に係合を外すことが可能である。
【００１２】
かかる建具であって、前記係合部は、前記突起より、前記枠体取付部材をスライドする際の進行方向における後方側に突出する突出部を有することが望ましい。
このような建具によれば、係合部が有する突出部は、突起が切欠部に挿入されたときには、切欠部を形成している壁面形成部と対向している。このため、突出部と壁面形成部との間に治具を挿入して係合部を撓ませることが可能なので、係合部を切欠部からより容易に解除することが可能である。
【発明の効果】
【００１３】
本発明によれば、容易に取り外すことが可能な枠体取付部材を備えた建具を提供することが可能である。
【図面の簡単な説明】
【００１４】
【図１】本実施形態に係る建具を示す横断面図である。
【図２】戸当たり部材を示す斜視図である。
【図３】戸当たり部材における室内部の上面部より下側を示す断面図である。
【図４】図３のＡ−Ａ断面図である。
【図５】下枠の被係合部を示す斜視図である。
【図６】戸当たり部材の取付方法を示す斜視図である。
【図７】戸当たり部材をスライドさせたときの係合部の状態を示す斜視図である。
【図８】戸当たり部材をスライドさせたときの係合部の状態を示す横断面図である。
【図９】戸当たり部材を取り外す様子を示す横断面図である。
【発明を実施するための形態】
【００１５】
以下、本発明の一実施形態に係る建具について図面を参照して説明する。
本実施形態の建具１は、例えば図１に示すように、左右にそれぞれ配置される縦材としての左右の縦枠２と上下に配置される横材としての上枠及び下枠３とが枠組みされた枠体４と、枠体４に案内されて移動する左右方向に引違い障子５、６とを備えている。また、枠体４を構成する上枠及び下枠３と縦枠２とが接合されている角部近傍に位置させて、障子５、６を開いたときに障子５、６の召合せ框５ａ、６ａが縦枠２に衝突することを防止する、枠体取付部材としての戸当たり部材７、８が上枠及び下枠３に取り付けられている。尚、上枠及び上枠に設けられている戸当たり部材は図示していない。
【００１６】
以下の説明においては、建物に取り付けられている建具１を室外側から見たときに、上下となる方向を上下方向、左右となる方向を左右方向、奥行き方向を見込み方向として示す。建具１の各部位であっても、また、建具１をなす各部材が単体の状態であっても、取り付けられた状態にて上下方向、左右方向、見込み方向となる方向にて方向を特定して説明する。また、障子５、６及び障子５、６が備える面材の表面に沿う方向を単に面内方向、面材の表面と直交する方向を単に面外方向ともいう。
【００１７】
枠体４は、左右に配置される２本の縦枠２間の上下端部に上枠及び下枠３がビスにより接合されて矩形状をなしている。上枠及び下枠３には、各々長手方向に沿って設けられ、互いに対向する方向に突出されて、引違い障子５、６が案内されるレール３ａ、３ｂが設けられている。
【００１８】
上枠、下枠３及び縦枠２は、いずれもアルミニウム製の押出成形材であり、上枠及び下枠３に設けられたレール３ａ、３ｂは、障子５、６の面内方向に沿う壁面を形成する板状をなし、上枠及び下枠３にて互いに対向する平面をなす上枠平面部及び下枠平面部３ｃから互いに対向する側に突出している。すなわち、本実施形態においてはレール３ａ、３ｂが壁面形成部に相当する。
【００１９】
障子５、６は、ガラス５ｂ、６ｂの周端部を収容する矩形状の框体を備えており、内障子５と外障子６との召合せ部の室内側には、クレセント錠９が設けられている。
【００２０】
本実施形態の建具１には、障子５、６を開いたときに内障子５の召合せ框５ａに設けられたクレセント錠９と縦枠２とが、また、外障子６の召合せ框６ａと縦枠２とが衝突することを防止する戸当たり部材７、８が、上枠及び下枠３の左右方向における端部に設けられている。各々の戸当たり部材７、８は、障子５、６をより広く開くことができるように左右の両端部にて、より縦枠２側に設けられているが、縦枠２とは接触しないように、縦枠２との間には僅かな隙間が設けられている。
【００２１】
左右の戸当たり部材７、８のうちの、右側に位置し、内障子５を開いたときに内障子５の召合せ框５ａが移動する方向に設けられた内障子用の戸当たり部材７は、内障子５の召合せ框５ａに設けられているクレセント錠９の衝突を避けるために、左側に位置する戸当たり部材（外障子用の戸当たり部材）８より左右方向の幅が広く形成されている。
【００２２】
内障子５用の戸当たり部材７と外障子用の戸当たり部材８の取付構造は、同じなので、以下では、下枠３に取り付けられる内障子５用の戸当たり部材（以下、単に戸当たり部材という）７を例に挙げて説明する。
【００２３】
戸当たり部材７は、合成樹脂製の成形部材であり、開いた内障子５が衝突することにより内障子５の移動を規制するだけの充分な剛性を備えている。図２〜図４に示すように、戸当たり部材７は、内障子５が案内される内レール３ａを含む領域を覆い下枠３との間に中空部７１ａを形成し、下側が開放された箱状をなす本体部７１と、本体部７１に設けられ、中空部７１ａ内にて内レール３ａに設けられた、後述する被係合部３１に係合される係合部７２と、を有している。
【００２４】
本体部７１は、内レール３ａと、外障子６が案内される外レール３ｂとの間から内レール３ａよりも室内側に至る領域を覆う上面部７３と、上面部７３の室内側及び室外側の端から垂設された室内壁部７４及び室外壁部７５と、上面部７３の左右の端から垂設された左側壁部７６及び右側壁部７７とを有している。
【００２５】
室外壁部７５は外レール３ｂの室内側の面と近接して対向する位置に配置される。左側壁部７６及び右側壁部７７には、中空部７１ａの内外にわたって設けられる内レール３ａとの干渉を避けるための、レール挿通凹部７６ａ、７７ａが設けられている。
【００２６】
戸当たり部材７は、内レール３ａがレール挿通凹部７６ａ、７７ａに配置されて装着された状態で、室内壁部７４、室外壁部７５、左側壁部７６及び右側壁部７７の下端が、下枠平面部３ｃ上に載置される。
【００２７】
戸当たり部材７は、開かれた内障子５が移動した際に下框と本体部７１とが接触するように、見込み方向において内レール３ａの両側に跨がって、内障子５の下框の下端より高い位置に上面部７３が位置する室内部７ａと、内レール３ａと外レール３ｂとの間における外レール３ｂ側に、外障子６が上面部７３と接触することなく通過できるように、外障子６の下端より低い位置に上面部７３が位置する室外部７ｂと、を有している。高さが異なる室内部７ａと室外部７ｂとの間は、左右方向に沿う室内壁部７４及び室外壁部７５と平行をなす中央壁部７８が設けられている。
【００２８】
本体部７１の室内部７ａ側には、室内壁部７４と中央壁部７８とにわたるように２枚のリブ７９が、戸当たり部材７の左右方向における中央より、内障子５側に偏らせて設けられている。このリブ７９にも、内レール３ａとの干渉を避けるためのレール配置凹部（不図示）が設けられている。
【００２９】
２枚のリブ７９のうちの内障子５側に位置するリブ７９からは、内障子５側に向かって突出された係合部７２が設けられている。係合部７２は、戸当たり部材７が取り付けられたときに内レール３ａと近接して平行をなすように配置される腕部７２ａと、腕部７２ａの先端側、すなわちリブ７９と反対側の端部に、内レール３ａ側に突出する突起７２ｂが設けられている。腕部７２ａは、見込み方向に押圧されたときに、リブ７９側を基端として、突起７２ｂが設けられている先端側が見込み方向に移動して撓むように弾性変形可能に設けられている。尚、２枚のリブ７９の間には、係合部７２の近傍の２箇所にて連結する補強リブ７９ａが設けられ、剛性が高められている。
【００３０】
突起７２ｂは、先端側に向かって腕部７２ａからの突出量が大きくなるような第１傾斜部７２ｃを有しており、突起７２ｂの先端は、腕部７２ａが撓まない状態で見込み方向に沿う見込み面７２ｄを有している。突起７２ｂは、上面が腕部７２ａと同じ平面をなし、突起７２ｂの下端側には腕部から離れるにつれて上下方向の厚みが薄くなるような第２傾斜部７２ｅを有している。
【００３１】
また、腕部７２ａには、突起７２ｂより内障子５側、すなわち見込み面７２ｄより内障子５側に突出させた突出部７２ｆを有している。突出部７２ｆは、突起７２ｂの突出方向と反対側の面が腕部７２ａと繋がった平面をなし、先端に向かって見込み方向の厚みが薄くなるような突出部傾斜部７２ｇを有している。
【００３２】
内レール３ａには、右側の端部近傍に、外レール３ｂには、左側の端部近傍に、それぞれ戸当たり部材７、８の係合部７２が係合される被係合部３１が設けられている。被係合部３１は、内レール３ａ及び外レール３ｂを切り欠いた切欠部である。ここでは、内レール３ａの右端に設けられている被係合部３１を例に挙げて説明する。
【００３３】
下枠３の被係合部３１は、図５に示すように、下枠３の端部側となり縦枠２に近い側に形成され、内レール３ａの上端から下方に切り欠かれた縦切欠部３１ａと、縦切欠部３１ａの下側の部分と繋がって、下枠３の左右方向における中央側に切り欠かれた横切欠部３１ｂと、が一つの切欠部をなしている。すなわち、横切欠部３１ｂの上には、内レール３ａが残存する張出部３１ｃが設けられている。
【００３４】
戸当たり部材７は、建物に取り付けられる前の枠体４に予め取り付けられる。内障子５用の下側の戸当たり部材７は、まず、上面部７３を上にして下枠３上に下枠３と間隔を空けて配置する。このとき、戸当たり部材７は、２枚のリブ７９が、被係合部３１の縦切欠部３１ａの上方に位置し、係合部７２の突起７２ｂが、横切欠部３１ｂよりも下枠３の左右方向における中央側に位置するように配置する。すなわち、戸当たり部材７は、最終的に取り付けられる位置よりも左右方向において中央側に位置している。
【００３５】
次に、２枚のリブ７９が縦切欠部３１ａに進入するように戸当たり部材７を降下させて下枠平面部３ｃ上に載置する。このとき、図７、図８に示すように、内レール３ａが左側壁部７６及び右側壁部７７のレール挿通凹部７６ａ、７７ａ内に配置されるように降下していくと、係合部７２の突起７２ｂに設けられた第２傾斜部７２ｅが内レール３ａを摺動しつつ腕部７２ａが撓み変形され、腕部７２ａが撓んだ状態で突起７２ｂが内レール３ａの室内側面を押圧する。
【００３６】
次に、戸当たり部材７を右方向にスライドさせる。戸当たり部材７は、係合部７２の腕部７２ａが撓んだ状態で突起７２ｂが内レール３ａの室内側面を摺動しつつスライドする。戸当たり部材７の取り付け時にスライドする際の進行方向において先方側が右側に相当し、後方側が左側に相当する。
【００３７】
係合部７２は、突起７２ｂが横切欠部３１ｂに至ったときに腕部７２ａの弾性により撓んだ状態から復元して、突起７２ｂが室内側に押し出され、内レール３ａの被係合部３１に係合する。このとき、右側のリブ７９が、縦切欠部３１ａの右側の縁３１ｄを形成する内レール３ａの部位と僅かな間隔を空けて対向し、係合部７２の見込み面７２ｄが、横切欠部３１ｂの左側の縁３１ｅを形成する部位と、僅かな間隔を空けて対向する。すなわち、係合部７２が被係合部３１に係合すると、戸当たり部材７の左右方向の移動が規制される。
【００３８】
また、横切欠部３１ｂに挿入された突起７２ｂは、上方に張出部３１ｃが位置しており、戸当たり部材７の縦枠２側の端部が縦枠２の、中央側に突出した部位２ａの下側に入り込んでいるため、戸当たり部材７の上方への移動も規制された状態で取り付けられる。戸当たり部材７が取り付けられた状態では、内レール３ａと左側壁部７６のレール挿通凹部７６ａとの間に隙間Ｓが形成されている。この隙間Ｓが、中空部７１ａの内外を連通する連通部に相当する。
【００３９】
取り付けられている戸当たり部材７を、取り外す場合には、図９に示すように、少なくとも先端が薄板状の細長い部材、例えばマイナスドライバー等の治具１０を、内レール３ａと左側壁部７６のレール挿通凹部７６ａとの間に隙間Ｓから内レール３ａに沿って挿入し、係合部７２に設けられた突出部７２ｆと内レール３ａとの間に挿入して係合部７２の先端側を室外側に押圧する。係合部７２は、押圧されて腕部７２ａが撓み変形し、突起７２ｂが被係合部３１から抜けて内レール３ａより室外側に移動される。突起７２ｂが被係合部３１から抜け出た状態で、戸当たり部材７を左右方向の左側にスライドさせることにより戸当たり部材７が取り外される。
【００４０】
本実施形態の建具１によれば、戸当たり部材７をスライドさせるだけで、係合部７２を被係合部３１に係合させて、戸当たり部材７を容易に取り付けることが可能である。また、本体部７１が下枠３の下枠平面部３ｃとともに形成する中空部７１ａ内にて被係合部３１に係合部７２が解除可能に係合されて枠体４に保持されており、本体部７１は、係合部７２を解除すべく操作するための、内レール３ａとレール挿通凹部７６ａとの間に隙間Ｓを有しているので、当該隙間Ｓから治具１０等にて操作することにより係合部７２と被係合部３１との係合を容易に解除することが可能である。このため、容易に取り外すことが可能な戸当たり部材７を備えた建具１を提供することが可能である。
【００４１】
また、下枠３の長手方向に沿ってスライドさせて取り付けられる戸当たり部材７が取り付けられた後は、スライドされた戸当たり部材７の進行方向後方側に、すなわち左側に必ずスライドした分の空間が存在する。このため、進行方向後ろ側に位置する左側壁部７６にレール挿通凹部７６ａが設けられていると、少なくともスライドした分の空間を利用して係合部７２と被係合部３１との係合を解除する操作ができるので、係合の解除操作が容易である。
【００４２】
また、係合部７２は見込み方向に貫通する切欠部３１ａ、３１ｂに、見込み方向に突出する突起７２ｂが挿入されて係合しているので、隙間Ｓから挿入された治具１０により腕部７２ａを見込み方向に弾性変形させて撓ませるだけで容易に係合を外すことが可能である。
【００４３】
また、係合部７２が有する突出部７２ｆは、突起７２ｂが横切欠部３１ｂに挿入されたときには、横切欠部３１ｂを形成している内レール３ａにおける、被係合部３１よりレール挿通凹部７６ａ側の部位と、対向している。このため、突出部７２ｆと内レール３ａとの間に治具１０を挿入して係合部７２を撓ませることが可能なので、より容易に係合部７２を横切欠部３１ｂから解除することが可能である。
【００４４】
上記実施形態においては、枠体取付部材を、上枠及び下枠３に取り付けられる、障子５、６用の戸当たり部材７、８を例に挙げて説明したが、これに限るものはなく、上枠、下枠３、及び縦枠２のいずれかに取り外し可能に取り付ける部材であれば構わない。
【００４５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４６】
１  建具、２  縦枠、３  下枠、３ａ  内レール、３ｂ  外レール、
３ｃ  下枠平面部、４  枠体、５  内障子（障子）、６  外障子（障子）、
７  戸当たり部材、８  戸当たり部材、１０  治具、３１  被係合部、
３１ａ  縦切欠部、３１ｂ  横切欠部、７１  本体部、７１ａ  中空部、
７２  係合部、７２ａ  腕部、７２ｂ  突起、７２ｆ  突出部、
７６  左側壁部、７６ａ  レール挿通凹部、Ｓ  隙間 
【図１】
2018071192.tif 000003
【図２】
2018071192.tif 000004
【図３】
2018071192.tif 000005
【図４】
2018071192.tif 000006
【図５】
2018071192.tif 000007
【図６】
2018071192.tif 000008
【図７】
2018071192.tif 000009
【図８】
2018071192.tif 000010
【図９】
2018071192.tif 000011